(57)【要約】【課題】住居環境の変化や洗濯機の進歩により洗濯作業の作業負担は軽減されつつあるが、洗濯物の乾燥領域は光熱費負担問題や設備環境問題等により未だ天日乾燥や屋内に於ける自然乾燥を主体とする作業に占められている。これらの事から、天日乾燥に対するハンガー自体の耐久性と信頼性、並びに、ハンガー掛け作業と取入れに関する抜本的な省力化、又、ハンガーの屋外使用時の紫外線暴露、湿乾の反復と衣類の残留洗剤による樹脂素材の劣化等による定期的な買換え廃棄処分を完全に排除する事による資源の節減と買換え費用の削減が強く望まれる環境になってきている。【解決手段】本特許に述べる機構構造と機能構造による作業効率の抜本的な改善と製品寿命の抜本的な長期化により、樹脂ハンガーの劣化による廃棄資材のゼロ化を本特許機構構造と機能構造による完全解決を図るものである。【選択図】図１
2008168085.tif 000002
【特許請求の範囲】
【請求項１】
斜辺の長さを異とする二つの二等辺三角形の仮想底辺を共有させて構成する四辺形の四頂点を蝶番等の可動機構構造にて接続し、該四辺形の二つの短辺を各々長辺との接続点を経由させ外側に折り曲げて延長しハンガーアームを構成すると共に、該二つの長辺が形成する頂点にハンガーフック接続機構を介し接続し、該短辺と該長辺の交点が構成する該仮想底辺の長さ、或いは、該四辺形の対称軸上にある頂角を制御する機構構造による該ハンガーアームの開閉操作とハンガーアーム展開時の固定維持操作を行う機構、並びに、機能構造を具備する衣類ハンガー。
【請求項２】
Ｕ字形折り返し構造に形成した不錆鋼線材、或いは、耐錆処理を行った曲げ応力耐性を持つ線材を複数個集積してハンガーアームを構成してなる請求項１に述べる機構構造を持つ衣類ハンガー。
【請求項３】
請求項１に述べる該四辺形の長辺を形成する各々のハンガーアーム懸架ロッドの懸架機構をハンガーフック垂直軸に対し同芯円運動回転を許容する機構構造にて構成し、且つ、該懸架機構構造に、該ハンガーアーム懸架ロッドを各々単独の貫通孔、又は、共通孔にて懸架接続し、貫通孔軸方向、並びに、側面方向に傾斜滑動を許容する機構構造により各ハンガーアームを懸架装着してなる請求項１に述べるハンガー。
【請求項４】
請求項１、請求項２、並びに、請求項３に述べる四辺形が共有する仮想底辺の長さを制御し該ハンガーアームの開閉操作、並びに、展開状態の維持制御するハンガーアーム展開固定リングとハンガーアーム懸架ロッドの相関機構構造。
【発明の詳細な説明】
【技術分野】
【０００１】  本発明は、衣類用ハンガーのハンガーアームの手動展伸操作により作動する概アームの展開維持安全ロック機能とその解除機能、及び、ハンガーアームに懸架する衣類の型崩れ防止の為のハンガーアームの懸架保持部面積の拡大と相反するハンガーアームと衣類の接触面積の最小化機能等を満足させる機能構造を具備する衣類ハンガーに関する。
【背景技術】
【０００２】  一般的に、衣類ハンガーの構造は固定的な展開形状を持つハンガーアームとハンガーアームの中心部にハンガーフックを設けた形状であり、丸首やとっくり形状のシャツ、及び、セーター、等、前▲みごろ▼、後▲みごろ▼が閉じられ、首周りが細い衣類の洗濯物のハンガー掛けは、首周りが伸びない様に衣類の下部胴口部分からのハンガー本体の挿入と襟首口よりの該ハンガーフックの引き出し作業が必要となっている。【０００３】  同様に、襟首口の伸びを防止する為には、乾燥した衣類の取り込み時に於ける衣類の胴口よりのハンガーアームの引き出し動作が要求されると共に、ハンガーフックの開放部先端による損傷から衣類を保護する注意力が要求され、これらが洗濯物のハンガー掛けと取入れ時の作業負担となっている。【０００４】  該問題点を解決する手段として、昨今、ループ形状のハンガーアームの両端とハンガーフック部分を蝶番機構で接続したハンガーのハンガーフック部を一方のハンガーアーム方向に倒し該ハンガーフック部と同ハンガーアームを掌で握り締めて保持し、この拘束状態を維持する手首部を含む上腕部とハンガーアーム部分を共に襟首口より衣類の胴内部に挿入し、該衣類の胴内部で該拘束状態を解除し挿入している手によりハンガーフック部を襟首口より引き出し衣類を該ハンガーに装着する構造の製品が市販されている。【０００５】  しかし、この場合のハンガーフックとハンガーアームを握り締めた状態の外形寸法値は一般衣類の襟首開口部寸法値に対し過大、又は、余裕が無く該襟首の伸びの完全防止に対する解決策とはなっていない。【０００６】  また、蝶番機構にて連結した左右のハンガーアームを、中心部に設けたハンガーフック機構を操作する事により展開状態を固定維持する機構構造のハンガーが市場供給されているが前▲みごろ▼が開放されていない衣類の場合に於いては展開状態にした該ハンガーを胴口から挿入し襟首口から該ハンガーのフック部を手により引き出す操作を回避することが出来ない。【０００７】  昨今、蝶番機構にて連結し展開するハンガーアームを該アームの接合部に設けたストッパーを解除操作する事によってハンガーアームを折り畳む機構構造を持つ樹脂製のハンガーが市場供給されているが樹脂製ストッパーの使用頻度に対する信頼性の問題は完全に解決されていない。
【発明の開示】
【発明が解決しようとする課題】
【０００８】  本発明が解決せんとする課題は、洗濯作業に係わる当事者の洗濯済み衣類のハンガー懸架作業自体に関係する注意努力と、乾燥後の該衣類の取り込み作業自体に係る注意努力、並びに、該懸架済み衣類の天日干し時の風に起因する衣類のハンガーよりの離脱防止、及び、該ハンガー自体の物干竿からの落下防止機能を具備する衣類ハンガーを提供する事による衣類の洗濯に係わる作業の抜本的な省力化を計ろうとするものである。【０００９】  即ち、洗濯後の衣類乾燥の為のハンガー掛け作業に於ける衣類の変形や損傷に対する注意と手間の省略、並びに、物干竿等に懸架した該ハンガー自体の落下や衣類のハンガーよりの離脱防止に対する安全性の向上と、乾燥後の衣類の取り込み作業に関連して発生する衣類の変形や損傷事故防止等に要する注意と努力を完全に排除出来る機能を持つ衣類ハンガーを提供するものである。
【課題を解決する為の手段】
【００１０】  上記課題を解決する手段として、図１に示す互いの斜辺の長さを異とする二つの二等辺三角形の底辺を共有させて形成する四辺形に於いては、対向する頂点を結ぶ対角線は常に直交し、共有する底辺の長さ、又は、該底辺に直交する対角線の長さを変化させる事により、短辺で構成する三角形の頂点の内角を鋭角から鈍角まで連続的に変化させる事が出来る幾何学上の定理を活用し、使用者の意思に基づくハンガーアームの自由、且つ、容易な開閉操作、並びに、衣類懸架時のハンガーアーム展伸状態の維持機能と懸架衣類の安全保持機能を具備する衣類用ハンガーを具現化させるものである。
【００１１】  又、本発明の衣類ハンガーは、一般の屋外使用環境に於ける風圧等の不定形な外力による被懸架衣類のハンガーよりの離脱防止、並びに、懸架フック自体を懸架した物干竿等からの離脱防止対応能力を強化する為、該ハンガーフックと該ハンガーアーム懸架機構部の連結機構構造に工夫を加え、該衣類の遥動に起因するハンガーアーム展開装置の誤動作事故防止機能構造、並びに、風圧等による衣類やハンガーフック自体の物干竿等からの離脱を強要する外力を吸収制御する緩衝機構構造を装備して構成するものである。
【００１２】  又、本発明の衣類ハンガーは、ハンガーアーム自体の被懸架衣類の懸架保持面積の拡大による被懸架箇所の変形緩和と被懸架衣類とハンガーアームとの実接触面積を最小化する事による被懸架衣類の通気性の拡大を共有する機構構造を採用し、ハンガー自体の軽量化と懸架する衣類の加重分散による変形の軽減、及び、懸架する衣類の乾燥の促進を図る機能構造を具備させて構成するものである。
【００１３】  本発明に依る衣類ハンガーの機構構造の実施例を、図１、図２、図３、図４、に示す。
【００１４】  図１は本発明のハンガーのハンガーアーム展開時の側面図を示すものであり、ステンレス鋼線材や防錆鍍金処理等を施した適度の弾力性を有する線材を図４に示すＵ字形状に形成し複数個集積して形成するハンガーアーム（７）及び、同ハンガーアーム（８）の両終端部を該二等辺三角形の各短辺を形成させる形に屈曲させ、ハンガーアーム（７）並びに、ハンガーアーム（８）を蝶番（１１）にて連結して左右に展開させ、且つ、該左右のハンガーアームの該屈曲点部分に該二等辺三角形の長編を形成させるハンガーアーム懸架ロッド（３）、と、ハンガーアーム懸架ロッド（４）を蝶番（９）、及び、蝶番（１０）にて各々接続し、該懸架ロッド（３）、及び、懸架ロッド（４）の各々の他端を、連結子（２）にてハンガーフック（１）に接続して構成するハンガーアームとハンガーアーム懸架ロッド構造、並びに、ハンガーアーム展開時に於ける展開状態の維持による懸架物の落下防止維持機能と被懸架衣類取入れ時に於ける単純操作によるハンガーアームの閉鎖を保障するハンガーアーム展開維持固定リング（５）にて構成する本発明のハンガーの側面図を示す。ハンガーアーム展開維持固定リングに装着した機構（６）はハンガーアーム閉鎖時の該機構（６）の脱落防止機構である。
【００１５】  図２は、図１のハンガーアームを閉鎖した状態の平面図を示し、該ハンガーアーム展開維持固定リング（５）を解除位置に移動し、ハンガーアーム（７）、ハンガーアーム（８）を閉鎖した状態を示す。
【００１６】  図３は、図２のＡ−Ａ’切断面を示す。
【００１７】  図４は、ステンレス鋼線材等の防錆能力を有する線材にて構成する図１のハンガーアーム７、並びに、同８の詳細形状平面図である。
【００１８】  即ち、該線材を１２，１３，１４、並びに、１５、１６、１７、に示す如く互いに間隔を保つ様に集積してハンガーアームを構成させ、且つ、図１、に示すハンガーアーム懸架ロッド３、並びに４、を接続する蝶番機構９、及び、同蝶番機構１０、を装着し、更に、該左右のハンガーアームを自由に開閉させる為の蝶番１１にて接続した機構構造を示すものである。
【００１９】  以下、図１、図２、図３、及び、図４に示す構造図に基づき本特許請求に述べる衣類ハンガーの機構構造と機能に付き説明する。
【００２０】  前▲みごろ▼が開放された状態の衣類の場合は、一般のハンガーを用いる要領により図２に示す状態の本衣類ハンガーのハンガーフックを物干竿等の固定箇所に懸架し、アーム（７）、ハンガーアーム（８）、を両手で展伸しハンガーアーム展開固定リング（１３）を作動状態にし、該展開状態にあるハンガーアームに衣類を着せ掛ける形で装着し、前▲みごろ▼のボタン等にて前▲みごろ▼を閉じた状態にする通常の操作にて洗濯物の懸架作業を完結させることが出来る。
【００２１】  然し、前▲みごろ▼が開放できない、タートルネック、Ｖネック、並びに、丸首セーター、等、の厚手生地衣服、又は、薄手生地にて縫製された、春、夏物衣類、等の襟首周りの伸びや肩部分の変形による衣類のスタイルの崩れを招く衣類、等、に於いては、図２に示す、ハンガーアームを閉鎖状態にした状態で該アームを共に襟首口より胴内部に挿入し、衣類の左右両肩部分に左右のハンガーアームの先端を整合させて衣類の両肩部を該ハンガーアーム７、並びに、ハンガーアーム８と共に展開させ、ハンガーアームの展開固定リング（５）をハンガーアーム展開固定位置に自然落下させる事により、該アームの展開状態の固定と洗濯物の懸架作業を完結させることが出来る。
【００２２】  該衣類の乾燥後の取入れは、当該衣類を装着した該ハンガーのハンガーアーム展開固定リング（５）を指先にてハンガーフック方向に押し上げる操作により、当該懸架衣類と該ハンガーアームの自重により自然閉鎖させ、該衣類の自重にてハンガーアームから離脱落下させる操作にて取り入れ作業を完了させることが出来る。
【００２３】  又、本発明によるハンガーは、ハンガーアーム懸架ロッド７、及び、ハンガーアーム懸架ロッド８を、ハンガーフックの軸に対し自由に回転可能な機構構造にて貫通させてなる連結子２に設けた各々の孔に自由に摺動可能な条件で貫通させて取り付けた機構構造によりハンガーフックの懸架方向に関係なく、如何なる風向きに対してもハンガーアームに懸架された衣類が受けた風圧を受け流す条件を構成させハンガーフックに付加される風圧を緩和し、ハンガーフックの懸架状態からの逸脱を回避する機能を具備させた機構構造となっている。
【図面の簡単な説明】
【００２４】
【図１】ハンガーアーム展開時の平面図を示す
【図２】ハンガーアーム閉鎖時の機構構造部の平面図を示す
【図３】ハンガーアーム閉鎖時のＡ−Ａ’断面図を示す
【図４】ハンガーアーム部分の展伸状態に於ける構造を示す
【符号の説明】
【００２５】  １  ハンガーフック
２  ハンガーフックとハンガーアーム懸架ロッドの連結子
３  ハンガーアーム懸架ロッド
４  ハンガーアーム懸架ロッド
５  ハンガーアーム展伸固定ロックリング
６  ハンガーアーム展伸固定ロックリング５の脱落防止機構
７  ハンガーアーム
８  ハンガーアーム
９  ハンガーアーム７とハンガーアーム懸架ロッド３の接続蝶番
１０  ハンガーアーム８とハンガーアーム懸架ロッド４の接続蝶番
１１  ハンガーアーム７とハンガーアーム８の接続蝶番
１２  ハンガーアーム構成部品
１３  ハンガーアーム構成部品
１４  ハンガーアーム構成部品
１５  ハンガーアーム構成部品
１６  ハンガーアーム構成部品
１７  ハンガーアーム構成部品
【図１】
2008168085.tif 000003
【図２】
2008168085.tif 000004
【図３】
2008168085.tif 000005
【図４】
2008168085.tif 000006